(57)【要約】【課題】簡易且つ低コストな構成で、フィーダの入力軸を逆回転させることができる普通型コンバインを提供することを目的とする。【解決手段】オペレータが搭乗する運転部７と、穀稈を刈り取る刈取部３と、刈取部３で刈り取った穀稈を搬送するフィーダ４と、を備える普通型コンバインであって、フィーダ４は、動力が入力される横向きの刈取入力軸１０を備え、刈取入力軸１０の右端部に、刈取入力軸１０を人為的に逆回転操作可能な操作部６１が設けられている。【選択図】図２
2013128448.tif 000002
【特許請求の範囲】
【請求項１】
オペレータが搭乗する運転部と、
穀稈を刈り取る刈取部と、
前記刈取部で刈り取った穀稈を搬送するフィーダと、を備える普通型コンバインであって、
前記フィーダは、動力が入力される横向きの入力軸を備え、
前記入力軸の右又は左の端部に、前記入力軸を人為的に逆回転操作可能な操作部が設けられている普通型コンバイン。
【請求項２】
前記操作部は、前記入力軸の右又は左の端部のうち、前記運転部側の端部に設けられている請求項１に記載の普通型コンバイン。
【請求項３】
前記操作部は、前記フィーダに動力を伝達する動力伝達機構とは反対側の端部に設けられている請求項１又は請求項２に記載の普通型コンバイン。
【請求項４】
前記操作部は、前記運転部の横側に配置されている請求項１から請求項３までのいずれか一項に記載の普通型コンバイン。
【請求項５】
前記操作部は、手動で操作される工具が着脱可能に取り付けられて前記工具により逆回転操作可能に構成されている請求項１から請求項４までのいずれか一項に記載の普通型コンバイン。
【請求項６】
前記入力軸は、前記操作部に取り付けられた前記工具が引き上げ操作されることにより逆転する請求項５に記載の普通型コンバイン。
【請求項７】
前記工具は、ラチェット機能を有する請求項５又は請求項６に記載の普通型コンバイン。
【発明の詳細な説明】
【技術分野】
【０００１】
本発明は、普通型コンバイン関し、より詳細には、刈取部で刈り取った穀稈を搬送するフィーダを備える普通型コンバインに関する。
【背景技術】
【０００２】
従来より、刈取部で刈り取った穀稈を搬送するフィーダを備える普通型コンバインが公知となっている（例えば、特許文献１参照）。特許文献１に記載のコンバインにおいては、エンジンの動力が正回転クラッチを介してフィーダの刈取り入力軸（入力軸）に伝達されて、刈取り入力軸が正回転するとともに、エンジンの動力が逆回転クラッチを介して刈取り入力軸に伝達されて、刈取り入力軸が逆回転するように構成されている。これにより、フィーダに穀稈が詰まった場合は、逆回転クラッチによって刈取り入力軸を逆回転させて、フィーダを通常の作業時とは逆方向に駆動させることで、穀稈の詰まりを容易に解消することができる。
【先行技術文献】
【特許文献】
【０００３】
【特許文献１】特開２００８−２６３８６６号公報
【発明の概要】
【発明が解決しようとする課題】
【０００４】
しかしながら、特許文献１に記載のコンバインでは、逆回転クラッチを正回転クラッチとは別に設ける必要があるため、動力伝達機構が大掛かりとなって、コストが高くなる。
【０００５】
本発明は以上の如き状況に鑑みてなされたものであり、簡易且つ低コストな構成で、フィーダの入力軸を逆回転させることができる普通型コンバインを提供することを目的とする。
【課題を解決するための手段】
【０００６】
本発明の第１特徴は、オペレータが搭乗する運転部と、穀稈を刈り取る刈取部と、前記刈取部で刈り取った穀稈を搬送するフィーダと、を備える普通型コンバインであって、前記フィーダは、動力が入力される横向きの入力軸を備え、前記入力軸の右又は左の端部に、前記入力軸を人為的に逆回転操作可能な操作部が設けられている、ことにある。
【０００７】
本発明の第１特徴によると、操作部を人為的に逆回転操作するだけで、入力軸が逆回転するため、簡易且つ低コストな構成でフィーダの入力軸を逆回転させることができる。
【０００８】
本発明の第２特徴は、前記操作部は、前記入力軸の右又は左の端部のうち、前記運転部側の端部に設けられている、ことにある。
【０００９】
本発明の第２特徴によると、操作部が運転部の側に位置するため、オペレータが運転部に搭乗したままで、操作部を容易に逆回転操作することができる。
【００１０】
本発明の第３特徴は、前記操作部は、前記フィーダに動力を伝達する動力伝達機構とは反対側の端部に設けられている、ことにある。
【００１１】
本発明の第３特徴によると、操作部を逆回転操作する際に、動力伝達機構が邪魔にならないため、操作部を容易に逆回転操作することができる。
【００１２】
本発明の第４特徴は、前記操作部は、前記運転部の横側に配置されている、ことにある。
【００１３】
本発明の第４特徴によると、操作部が運転部に備えられた運転席の近傍に位置するため、オペレータが運転席にいたままで、操作部をさらに容易に逆回転操作することができる。
【００１４】
本発明の第５特徴は、前記操作部は、手動で操作される工具が着脱可能に取り付けられて前記工具により逆回転操作可能に構成されている、ことにある。
【００１５】
本発明の第５特徴によると、逆回転操作が必要な場合にだけ操作部に工具を取り付けて、逆回転操作が不要な場合には操作部から工具を取り外すことができるため、未使用時に工具が邪魔になることがない。
【００１６】
本発明の第６特徴は、前記入力軸は、前記操作部に取り付けられた前記工具が引き上げ操作されることにより逆転する、ことにある。
【００１７】
本発明の第６特徴によると、引き上げ操作によって、工具を押し下げ操作するよりも、操作時に力が入り易くなるため、工具によって操作部を容易に逆回転操作することができる。
【００１８】
本発明の第７特徴は、前記工具は、ラチェット機能を有する、ことにある。
【００１９】
本発明の第７特徴によると、ラチェット機能を有する工具によって、工具を操作部に取り付けて往復操作するとき、工具を操作部に取り付けたり取り外したりする必要がないため、操作部を容易に逆回転操作することができる。
【図面の簡単な説明】
【００２０】
【図１】コンバインを示す側面図。
【図２】コンバインを示す平面図。
【図３】オーガ及びフィーダを示す平面一部断面図。
【図４】コンバインの動力伝達経路を示す線図。
【図５】（ａ）工具で刈取入力軸を逆回転操作する状態を示す図。（ｂ）工具を戻し操作する状態を示す図。
【発明を実施するための形態】
【００２１】
以下、本発明の実施形態を図面に基づいて説明する。
【００２２】
先ず、コンバインの全体構成について、図１及び図２により説明する。
【００２３】
図１及び図２に示すように、コンバインは、機体を走行させる右及び左のクローラ式の走行部１を備えている。右及び左の走行部１の上部には、機体フレーム２が備えられている。機体フレーム２の前方には、穀稈を刈り取る刈取部３が備えられている。刈取部３の後部には、刈り取った穀稈を搬送するフィーダ４が備えられている。また、機体フレーム２上には、搬送された穀稈を脱穀する脱穀部５と、脱穀後の穀粒を貯留する穀粒貯留部６と、が左右に並べて備えられている。穀粒貯留部６の前方には、オペレータが搭乗する運転部７が備えられている。運転部７には、オペレータが着座する運転席８及び図示しない操作ペダルや操作レバー等の操作具類が備えられている。運転席８下方の機体フレーム２上には、動力源となるエンジン９が備えられている。
【００２４】
これにより、コンバインは、運転部７でオペレータが運転席８に着座して前記操作具類を操作することによって、エンジン９の動力を各部に伝達して、右及び左の走行部１によって機体を走行させながら、刈取部３で圃場の穀稈を刈り取り、刈り取った穀稈をフィーダ４で脱穀部５側へ搬送し、搬送された穀稈を脱穀部５で脱穀し、脱穀後の穀粒を穀粒貯留部６に貯留する。
【００２５】
フィーダ４は、エンジン９の動力が入力される左右向きの「入力軸」としての刈取入力軸１０を備えている。フィーダ４は、刈取入力軸１０を介して上下揺動可能に支持されている。フィーダ４と機体フレーム２との間には、伸縮可能な図示しない油圧シリンダが設けられている。これにより、フィーダ４は、前記油圧シリンダが伸縮することによって、刈取入力軸１０を支点にして上下方向に揺動する。
【００２６】
刈取部３は、刈取フレーム１１と、右及び左のデバイダ１２と、掻込リール１３と、刈刃１４と、オーガ１５と、を備えている。
【００２７】
刈取フレーム１１は、刈取フレーム１１の側部を成す右及び左の側壁１６と、刈取フレーム１１の底部を成すプラットホーム１７と、を備えている。右及び左のデバイダ１２は、圃場の穀稈を刈取対象と非刈取対象とに分草するものである。右及び左のデバイダ１２は、それぞれ刈取フレーム１１の右及び左の側壁１６の前端部に設けられている。掻込リール１３は、刈取対象の穀稈を掻き込むものである。掻込リール１３は、刈取フレーム１１の前部上方に備えられている。刈刃１４は、掻き込んだ穀稈を切断して刈り取るものである。刈刃１４は、バリカン型に構成されている。刈刃１４は、刈取フレーム１１のプラットホーム１７の前端縁に設けられている。オーガ１５は、刈り取った穀稈を搬送するものである。オーガ１５は、刈取フレーム１１の右及び左の側壁１６に回転可能に支持されている。
【００２８】
これにより、刈取部３は、前記油圧シリンダによってフィーダ４が刈取入力軸１０を支点にして上下方向に揺動すると、上昇又は下降して非作業状態と作業状態とに切り換えられる。刈取部３は、作業状態に切り換えられることによって、右及び左のデバイダ１２で圃場の穀稈を刈取対象と非刈取対象とに分草し、刈取対象の穀稈を掻込リール１３で掻き込み、掻き込んだ穀稈を刈刃１４で切断して刈り取り、刈り取った穀稈をオーガ１５でフィーダ４側へ搬送する。
【００２９】
穀粒貯留部６は、袋詰タンク１８と、作業デッキ１９と、補助デッキ２０と、支柱２１と、を備えている。
【００３０】
袋詰タンク１８は、脱穀後の穀粒を一旦貯留するものである。袋詰タンク１８内の穀粒は、袋詰タンク１８の下部から排出されて図示しない穀粒袋に袋詰めされる。作業デッキ１９及び補助デッキ２０は、袋詰作業を行うときの台となるものである。補助デッキ２０は、機体フレーム２の右側部に上下揺動可能に支持されている。これにより、補助デッキ２０は、袋詰作業を行わないときには、略垂直に折り畳んで収納される。支柱２１は、袋詰タンク１８を支持するためのものである。支柱２１は、例えば袋詰タンク１８の前後左右の合計四箇所に備えられる。
【００３１】
次に、オーガ１５及びフィーダ４について、図３により説明する。
【００３２】
オーガ１５は、第一スパイラ１５ａ及び第二スパイラ１５ｂと、第三スパイラ１５ｃと、掻込杆１５ｄと、を備えている。
【００３３】
第一スパイラ１５ａ及び第二スパイラ１５ｂは、刈り取った穀稈をフィーダ４の前方まで左方に横送りするものである。第一スパイラ１５ａ及び第二スパイラ１５ｂは、フィーダ４よりも右側部分の二条の螺旋に形成されている。第三スパイラ１５ｃは、刈り取った穀稈をフィーダ４の前方まで右方に横送りするものである。第三スパイラ１５ｃは、フィーダ４よりも左側部分の一条の螺旋に形成されている。掻込杆１５ｄは、横送りされた穀稈をフィーダ４に掻き込むものである。掻込杆１５ｄは、フィーダ４の前方で径方向に突出している。これにより、オーガ１５は、第一スパイラ１５ａ、第二スパイラ１５ｂ及び第三スパイラ１５ｃによって、刈り取った穀稈をフィーダ４の前方まで横送りし、横送りした穀稈を掻込杆１５ｄによってフィーダ４に掻き込む。
【００３４】
フィーダ４は、コンベヤ２５と、フィーダケース２６と、を備えている。
【００３５】
コンベヤ２５は、フィーダケース２６に内装されている。コンベヤ２５は、刈取入力軸１０と、左右向きの軸心周りに回動可能にフィーダケース２６の前部に支持された前部輪体２７と、左右向きの軸心周りに回動可能にフィーダケース２６の後部に支持された後部輪体２８と、前部輪体２７及び後部輪体２８に巻き回された右及び左のチェーン２９と、アングル３０と、を備えている。
【００３６】
刈取入力軸１０は、フィーダケース２６の右及び左の側板に亘って回動可能に支持されている。刈取入力軸１０の右及び左の端部は、それぞれフィーダケース２６の右及び左の側板から右方及び左方に突出している。刈取入力軸１０の右端部には、操作部６１が設けられている。刈取入力軸１０の左端部には、従動プーリ３１が固設されている。刈取入力軸１０には、後部輪体２８が固設されている。
【００３７】
アングル３０は、掻き込まれた穀稈を引っ掛けるものである。アングル３０は、右及び左のチェーン２９に亘って左右向きに設けられている。
【００３８】
これにより、フィーダ４は、エンジン９の動力が刈取入力軸１０に入力されることによって、後部輪体２８及び前部輪体２７を介してチェーン２９を駆動して、掻き込まれた穀稈をアングル３０に引っ掛けて搬送する。なお、詳しくは後述するが、刈取入力軸１０には、従動プーリ３１等を備える正回転クラッチ４９を介して、エンジン９の動力が伝達される。
【００３９】
フィーダケース２６は、コンベヤ２５を内装するものである。フィーダケース２６の底面には、掃除口が開口して形成されているとともに、この掃除口は、掃除口蓋２６ａで開閉可能に蓋されている。これにより、掃除口蓋２６ａを開けて、フィーダ４に詰まった穀稈を取り除くことができる。なお、詳しくは後述するが、操作部６１に取り付けられた工具６２により刈取入力軸１０を逆転させて、フィーダ４に詰まった穀稈を取り除くことができる。
【００４０】
次に、コンバインの動力伝達経路について、図４により説明する。
【００４１】
図４に示すように、エンジン９の動力は、走行部１、脱穀部５及び刈取部３に伝達されるように構成されている。
【００４２】
走行部１に対して、エンジン９の出力軸９ａの動力は、ベルト式動力伝達機構３２を介して、走行変速装置３３の入力軸３３ａに伝達される。走行変速装置３３の出力軸３３ｂの動力は、走行ミッション３４を介して右及び左の走行部１に伝達される。こうして、エンジン９の出力軸９ａの動力が、走行部１に伝達される。
【００４３】
脱穀部５に対して、エンジン９の出力軸９ａの動力は、ベルト式動力伝達機構３５を介して、唐箕駆動軸３６に伝達される。唐箕駆動軸３６の動力は、ベルト式動力伝達機構３７を介して、一番スクリューコンベヤ３８及び二番スクリューコンベヤ３９に伝達される。また、唐箕駆動軸３６の動力は、ベルト式動力伝達機構３７、動力取出軸４０及びベルト式動力伝達機構４１を介して、選別装置駆動軸４２に伝達される。こうして、エンジン９の出力軸９ａの動力が、脱穀部５に伝達される。
【００４４】
刈取部３に対して、エンジン９の出力軸９ａの動力は、ベルト式動力伝達機構３５、唐箕駆動軸３６及びベルト式動力伝達機構４３を介して、ケース入力軸４４に伝達される。ケース入力軸４４の動力は、伝動ケース４５に収容されたベベルギヤ４６、４７を介して、扱胴４８の脱穀出力軸４８ａに伝達される。
【００４５】
また、ケース入力軸４４の動力は、フィーダ４に動力を伝達する「動力伝達機構」としての正回転クラッチ４９を介して、刈取入力軸１０に伝達される。刈取入力軸１０の動力は、チェーン式動力伝達機構５３を介して、刈刃１４の駆動軸５４に伝達される。刈刃１４の駆動軸５４の動力は、チェーン式動力伝達機構５５を介して、オーガ１５の駆動軸５６に伝達される。オーガ１５の駆動軸５６の動力は、チェーン式動力伝達機構５７、伝達軸５８及びベルト式動力伝達機構５９を介して、掻込リール１３の駆動軸６０に伝達される。こうして、エンジン９の出力軸９ａの動力が、刈取部３に伝達される。
【００４６】
ここで、ケース入力軸４４の左端部は、伝動ケース４５から左方に突出している。ケース入力軸４４の左端部と唐箕駆動軸３６の左端部との間には、ベルト式動力伝達機構４３が介設されている。また、ケース入力軸４４の左端部と刈取入力軸１０の左端部との間には、正回転クラッチ４９が介設されている。
【００４７】
正回転クラッチ４９は、ケース入力軸４４に固設された駆動プーリ５０と、刈取入力軸１０に固設された従動プーリ３１と、駆動プーリ５０及び従動プーリ３１に巻き回されたベルト５１と、ベルト５１に緊張力を付与するテンション部材５２と、を備えている。正回転クラッチ４９は、ベルト５１がテンション部材５２によって緊張力が付与されるか否かによって、動力伝達が入り状態又は切り状態に切り換わる、いわゆるベルトテンションクラッチに構成されている。
【００４８】
次に、操作部６１及び工具６２について、図１から図５により説明する。
【００４９】
図２から図５に示すように、操作部６１は、刈取入力軸１０を人為的に逆転操作可能なものである。本実施形態では、操作部６１は、手動で操作される工具６２が、着脱可能に取り付けられて工具６２により刈取入力軸１０を逆回転操作可能に構成されている。操作部６１は、刈取入力軸１０の運転部７側の端部であって、正回転クラッチ４９（従動プーリ３１）とは反対側の端部に設けられている。操作部６１は、運転部７（運転席８）の左横側に配置されている。操作部６１は、側面視にて略六角形状のボスである。操作部６１の外側端面（右端面）には、ボス穴６１ａが形成されている。
【００５０】
図１及び図５に示すように、工具６２は、略バー状に形成されている。工具６２は、工具本体６２ａと、スパナ６２ｂと、を備えている。スパナ６２ｂは、操作部６１に取り付けられるものである。スパナ６２ｂは、板状のスパナで構成されている。スパナ６２ｂは、工具６２の先端部に溶接により固定されている。なお、スパナ６２ｂを工具６２の先端部に固定する方法は、溶接に限定するものではない。また、スパナ６２ｂには、切欠部６２ｃが形成されている。また、工具６２は、未使用時には、運転席８の左横側（作業デッキ１９の前方）に設けた図示しないホルダに収納されるように構成されている。なお、工具６２を未使用時に袋詰タンク１８の支柱２１（例えば、前方の支柱２１）に取り付けて収納するように構成することもできる。
【００５１】
これにより、図５（ａ）に示すように、フィーダ４に穀稈が詰まった場合、操作部６１に工具６２のスパナ６２ｂを取り付けて、この工具６２を逆回転操作（Ａ方向に引き上げ操作）する。すると、スパナ６２ｂと操作部６１とが図５（ａ）に示すＰ１部分及びＰ２部分で噛み合って、工具６２の逆回転操作力が操作部６１を介して、刈取入力軸１０に伝達されて、刈取入力軸１０が逆回転（正回転クラッチ４９による回転方向とは逆方向に回転）する。また、図５（ｂ）に示すように、操作部６１に取り付けられた工具６２を戻し操作（Ａ方向とは逆のＢ方向に引き下げ操作）しても、切欠部６２ｃに操作部６１（六角形状の角部）が落ち込むため、スパナ６２ｂと操作部６１とが噛み合わず、工具６２が操作部６１に対して空回りすることになる。
【００５２】
こうして、図４に示すように、刈取入力軸１０が逆回転することによって、フィーダ４のコンベヤ２５が逆方向に駆動する。また、刈取入力軸１０の逆回転力は、前述の動力伝達経路を介して、刈刃１４（駆動軸５４）、オーガ１５（駆動軸５６）、及び掻込リール１３（駆動軸６０）にそれぞれ伝達される。すなわち、操作部６１を人為的に逆回転操作するだけで、刈取入力軸１０が逆回転するため、簡易且つ低コストな構成でフィーダ４の刈取入力軸１０を逆回転させることができる。
【００５３】
なお、本発明の実施形態は、以下のようなものであってもよい。
【００５４】
操作部６１は、着脱可能な工具６２によって逆回転操作されるものであるが、これに限定されるものではない。例えば、操作部６１にハンドルを固定的に設けて、このハンドルによって操作部６１を逆回転操作するものであってもよい。
【００５５】
工具６２は、ラチェット機能を有するものであれば、板状のスパナで構成されたスパナ６２ｂに限定するものではない。
【産業上の利用可能性】
【００５６】
本発明は、刈取部で刈り取った穀稈を搬送するフィーダを備える普通型コンバインに利用可能である。
【符号の説明】
【００５７】
３  刈取部
４  フィーダ
７  運転部
１０  刈取入力軸（入力軸）
４９  正回転クラッチ（動力伝達機構）
６１  操作部
６２  工具
【図１】
2013128448.tif 000003
【図２】
2013128448.tif 000004
【図３】
2013128448.tif 000005
【図４】
2013128448.tif 000006
【図５】
2013128448.tif 000007